(57)【要約】      （修正有）【課題】  Ｗｅｂサーバ上に保存されているフラッシュ形式の部品データをすべてＣＭＹＫ形式とすることにより、配置ずれや色ずれの少ない高品質な印刷データ作成システムを提供する。【解決手段】  ＣＭＹＫ形式のデータ、変換定義データ、およびＸＭＬ形式のデータを読み込むためのリンク情報を含むフラッシュ形式の全体データを記憶手段２４に記憶し、変換定義データに基づいて、ＣＭＹＫ形式のデータからフラッシュ形式の部品データを作成し、記憶手段２４に記憶する。そして、変換定義データに基づいて、ＣＭＹＫ形式のデータからフラッシュ形式の部品データの記憶領域のリンク情報を含むＸＭＬ形式のデータを作成し、記憶手段２４に記憶する。フラッシュ形式の全体データを読み出すことにより、フラッシュ形式の全体データ、ＸＭＬ形式のデータ、およびフラッシュ形式の部品データを一体的に表示し、表示データはｐｄｆ形式に変換し、記憶手段２４に記憶する。【選択図】    図２
2006185186.tif 000002
【特許請求の範囲】
【請求項１】
ネットワークを通じて端末からなされる要求に応じて処理・応答を行う印刷物作成システムであって、
印刷形式のデータ、変換定義データ、およびＸＭＬ形式のデータを読み込むためのリンク情報を含むフラッシュ形式の全体データを記憶する第１の記憶手段と、
前記第１の記憶手段に記憶された変換定義データに基づいて、前記印刷形式のデータからフラッシュ形式の部品データを作成し、記憶する第２の記憶手段と、
前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、記憶する第３の記憶手段と、
前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示する表示手段と、
前記表示手段によって表示された表示データをｐｄｆ形式に変換、記憶する第４の記憶手段と、
を有することを特徴とする印刷物作成システム。
【請求項２】
前記印刷形式のデータは、ＥＰＳ形式のデータであることを特徴とする請求項１に記載の印刷物作成システム。
【請求項３】
前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする請求項１または２に記載の印刷物作成システム。
【請求項４】
ネットワークを通じて端末からなされる要求に応じて処理・応答を行う印刷物作成システムで作成される印刷物であって、
印刷形式のデータ、変換定義データ、およびＸＭＬ形式のデータを読み込むためのリンク情報を含むフラッシュ形式の全体データを記憶する第１の記憶手段と、
前記第１の記憶手段に記憶された変換定義データに基づいて、前記印刷形式のデータからフラッシュ形式の部品データを作成し、記憶する第２の記憶手段と、
前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、記憶する第３の記憶手段と、
前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示する表示手段と、
前記表示手段によって表示された表示データをｐｄｆ形式に変換、記憶する第４の記憶手段と、
を有する印刷物作成システムによって作成された印刷物。
【請求項５】
前記印刷形式のデータは、ＥＰＳ形式のデータであることを特徴とする請求項４に記載の印刷物。
【請求項６】
前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする請求項４または５に記載の印刷物。
【請求項７】
ネットワークを通じて端末からなされる要求に応じて処理・応答を行う印刷物作成方法であって、
印刷形式のデータ、変換定義データ、およびＸＭＬ形式のデータを読み込むためのリンク情報を含むフラッシュ形式の全体データを第１の記憶手段に記憶する第１の記憶ステップと、
前記第１の記憶手段に記憶された変換定義データに基づいて、前記印刷形式のデータからフラッシュ形式の部品データを作成し、第２の記憶手段に記憶する第２の記憶ステップと、
前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、第３の記憶手段に記憶する第３の記憶ステップと、
前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示手段に表示する表示ステップと、
前記表示手段によって表示された表示データをｐｄｆ形式に変換し、第４の記憶手段に記憶する第４の記憶ステップと、
を含むことを特徴とする印刷物作成方法。
【請求項８】
前記印刷形式のデータは、ＥＰＳ形式のデータであることを特徴とする請求項７に記載の印刷物作成方法。
【請求項９】
前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする請求項７または８に記載の印刷物作成方法。
【請求項１０】
ネットワークを通じて端末からなされる要求に応じて処理・応答を行う印刷物作成プログラムであって、
コンピュータに、
印刷形式のデータ、変換定義データ、およびＸＭＬ形式のデータを読み込むためのリンク情報を含むフラッシュ形式の全体データを第１の記憶手段に記憶する第１の記憶手順と、
前記第１の記憶手段に記憶された変換定義データに基づいて、前記印刷形式のデータからフラッシュ形式の部品データを作成し、第２の記憶手段に記憶する第２の記憶手順と、
前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、第３の記憶手段に記憶する第３の記憶手順と、
前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示手段に表示する表示手順と、
前記表示手段によって表示された表示データをｐｄｆ形式に変換し、第４の記憶手段に記憶する第４の記憶手順と、
をコンピュータに実行させるためのプログラム。
【請求項１１】
前記印刷形式のデータは、ＥＰＳ形式のデータであることを特徴とする請求項１０に記載の印刷物作成プログラム。
【請求項１２】
前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする請求項１１または１０に記載の印刷物作成プログラム。
【発明の詳細な説明】
【技術分野】
【０００１】
この発明は、Ｗｅｂ上で印刷物をデザイン・作成するシステムに係り、特に高品質の印刷形式のデータを作成から出力まで通して使用することで高品質なサービスを提供できる印刷物作成システム、方法、プログラム、および印刷物に関する。
【背景技術】
【０００２】
インターネット等のネットワークを介してＷｅｂサーバ上で印刷物をデザイン、作成する技術が開示されている。当該技術では、Ｗｅｂサーバにネットワークを介してアクセスしたクライアント端末のＷｅｂブラウザ上で印刷物をデザイン、作成する技術である。Ｗｅｂブラウザ上では、ＧＵＩとしてフラッシュ技術を用いている。Ｗｅｂサーバ上に保存されたフラッシュ形式で作成された部品データをＷｅｂブラウザ上のフラッシュに読み込んで処理を行うものである。Ｗｅｂサーバ上に保存されたフラッシュ形式で作成された部品データは、ＲＧＢ形式のデータとＣＭＹＫ形式のデータとが混在して用いられている。Ｗｅｂブラウザ上のフラッシュに、Ｗｅｂサーバ上に保存されたフラッシュ形式で作成された部品データを読み込んで、希望の印刷物のデザインを行い、作成をした後、作成されたデータは、Ｗｅｂサーバによって、印刷用のｐｄｆ形式のデータに変換される。なお、変換前の部品データがＲＧＢ形式のデータとＣＭＹＫ形式のデータとが混在していることにより、変換されたｐｄｆ形式のデータもＲＧＢ形式のデータとＣＭＹＫ形式のデータとが混在したデータとなっている。（例えば、特許文献１参照）。
【特許文献１】特願２００１−１４２８２１
【発明の開示】
【発明が解決しようとする課題】
【０００３】
ところが、このような構成では、ｐｄｆ形式のデータを印刷した場合に、印刷にはＣＭＹＫ形式のみを用いるため、ＲＧＢ形式のデータが混在していることにより、Ｗｅｂブラウザ上で作成されたデータと比べて、部品データ等の配置がずれたものとなる場合がある。また、ＲＧＢ形式のデータが混在していることにより、ＣＭＹＫ形式を用いて印刷した場合に、色合いも違うものとなる場合がある。
【０００４】
この発明は上記事情に着目してなされたもので、その目的とするところは、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成可能な印刷物作成システム、方法、プログラム、および印刷物を提供することにある。
【課題を解決するための手段】
【０００５】
本発明はかかる課題を解決するものであり、請求項１の発明は、ネットワークを通じて端末からなされる要求に応じて処理・応答を行う印刷物作成システムであって、印刷形式のデータ、変換定義データ、およびＸＭＬ形式のデータを読み込むためのリンク情報を含むフラッシュ形式の全体データを記憶する第１の記憶手段と、前記第１の記憶手段に記憶された変換定義データに基づいて、前記印刷形式のデータからフラッシュ形式の部品データを作成し、記憶する第２の記憶手段と、前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、記憶する第３の記憶手段と、前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示する表示手段と、前記表示手段によって表示された表示データをｐｄｆ形式に変換、記憶する第４の記憶手段とを有することを特徴とする印刷物作成システムである。
【０００６】
したがって請求項１の発明は、印刷形式のデータ、変換定義データ、およびＸＭＬ形式のデータを読み込むためのリンク情報を含むフラッシュ形式の全体データが記憶され、記憶された変換定義データに基づいて、印刷形式のデータからフラッシュ形式の部品データが作成され、記憶される。そして、記憶された変換定義データに基づいて、印刷形式のデータからフラッシュ形式の部品データの記憶領域のリンク情報を含むＸＭＬ形式のデータが作成され、記憶される。そして、フラッシュ形式の全体データを読み出すことにより、フラッシュ形式の全体データに含まれるリンク情報に基づいて記憶されたＸＭＬ形式のデータが呼び出され、呼び出されたＸＭＬ形式のデータに含まれるリンク情報に基づいてフラッシュ形式の部品データが呼び出され、呼び出されたフラッシュ形式の全体データ、ＸＭＬ形式のデータ、およびフラッシュ形式の部品データを一体的に表示される。そして、表示された表示データはｐｄｆ形式に変換、記憶される。このため、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【０００７】
また、請求項２の発明は、印刷形式のデータは、ＥＰＳ形式のデータであることを特徴とする。
【０００８】
したがって請求項２の発明は、ＥＰＳ形式のデータが保持する高精度な座標データを用いることができる。
【０００９】
また、請求項３の発明は、前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする。
【００１０】
したがって請求項３の発明は、定義データは、ＥＰＳ形式のデータが有する部品データの高精細な座標情報に対して相対座標値の和を算出し、算出された前記部品データの座標情報に基づいて、フラッシュ形式の部品データの座標情報を含むＸＭＬ形式のデータを作成する処理が記載されたデータである。このため、用いられたフッラシュ形式の部品データの高精度な座標情報を変換したＸＭＬ形式のデータに反映させることができる。
【００１１】
また、請求項４の発明は、ネットワークを通じて端末からなされる要求に応じて処理・応答を行う印刷物作成システムで作成される印刷物であって、印刷形式のデータ、変換定義データ、およびＸＭＬ形式のデータを読み込むためのリンク情報を含むフラッシュ形式の全体データを記憶する第１の記憶手段と、前記第１の記憶手段に記憶された変換定義データに基づいて、前記印刷形式のデータからフラッシュ形式の部品データを作成し、記憶する第２の記憶手段と、前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、記憶する第３の記憶手段と、前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示する表示手段と、前記表示手段によって表示された表示データをｐｄｆ形式に変換、記憶する第４の記憶手段とを有する印刷物作成システムによって作成された印刷物である。
【００１２】
したがって請求項４の発明は、印刷形式のデータ、変換定義データ、およびＸＭＬ形式のデータを読み込むためのリンク情報を含むフラッシュ形式の全体データが記憶され、記憶された変換定義データに基づいて、印刷形式のデータからフラッシュ形式の部品データが作成され、記憶される。そして、記憶された変換定義データに基づいて、印刷形式のデータからフラッシュ形式の部品データの記憶領域のリンク情報を含むＸＭＬ形式のデータが作成され、記憶される。そして、フラッシュ形式の全体データを読み出すことにより、フラッシュ形式の全体データに含まれるリンク情報に基づいて記憶されたＸＭＬ形式のデータが呼び出され、呼び出されたＸＭＬ形式のデータに含まれるリンク情報に基づいてフラッシュ形式の部品データが呼び出され、呼び出されたフラッシュ形式の全体データ、ＸＭＬ形式のデータ、およびフラッシュ形式の部品データを一体的に表示される。そして、表示された表示データはｐｄｆ形式に変換、記憶される。このため、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００１３】
また、請求項５の発明は、印刷形式のデータは、ＥＰＳ形式のデータであることを特徴とする。
【００１４】
したがって請求項５の発明は、ＥＰＳ形式のデータが保持する高精度な座標データを用いることができる。
【００１５】
また、請求項６の発明は、前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする。
【００１６】
したがって請求項６の発明は、定義データは、ＥＰＳ形式のデータが有する部品データの高精細な座標情報に対して相対座標値の和を算出し、算出された前記部品データの座標情報に基づいて、フラッシュ形式の部品データの座標情報を含むＸＭＬ形式のデータを作成する処理が記載されたデータである。このため、用いられたフッラシュ形式の部品データの高精度な座標情報を変換したＸＭＬ形式のデータに反映させることができる。
【００１７】
また、請求項７の発明は、ネットワークを通じて端末からなされる要求に応じて処理・応答を行う印刷物作成方法であって、印刷形式のデータ、変換定義データ、およびＸＭＬ形式のデータを読み込むためのリンク情報を含むフラッシュ形式の全体データを第１の記憶手段に記憶する第１の記憶ステップと、前記第１の記憶手段に記憶された変換定義データに基づいて、前記印刷形式のデータからフラッシュ形式の部品データを作成し、第２の記憶手段に記憶する第２の記憶ステップと、前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、第３の記憶手段に記憶する第３の記憶ステップと、前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示手段に表示する表示ステップと、前記表示手段によって表示された表示データをｐｄｆ形式に変換し、第４の記憶手段に記憶する第４の記憶ステップとを含むことを特徴とする印刷物作成方法である。
【００１８】
したがって請求項７の発明は、印刷形式のデータ、変換定義データ、およびＸＭＬ形式のデータを読み込むためのリンク情報を含むフラッシュ形式の全体データが記憶され、記憶された変換定義データに基づいて、印刷形式のデータからフラッシュ形式の部品データが作成され、記憶される。そして、記憶された変換定義データに基づいて、印刷形式のデータからフラッシュ形式の部品データの記憶領域のリンク情報を含むＸＭＬ形式のデータが作成され、記憶される。そして、フラッシュ形式の全体データを読み出すことにより、フラッシュ形式の全体データに含まれるリンク情報に基づいて記憶されたＸＭＬ形式のデータが呼び出され、呼び出されたＸＭＬ形式のデータに含まれるリンク情報に基づいてフラッシュ形式の部品データが呼び出され、呼び出されたフラッシュ形式の全体データ、ＸＭＬ形式のデータ、およびフラッシュ形式の部品データを一体的に表示される。そして、表示された表示データはｐｄｆ形式に変換、記憶される。このため、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００１９】
また、請求項８の発明は、印刷形式のデータは、ＥＰＳ形式のデータであることを特徴とする。
【００２０】
したがって請求項８の発明は、ＥＰＳ形式のデータが保持する高精度な座標データを用いることができる。
【００２１】
また、請求項９の発明は、前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする。
【００２２】
したがって請求項９の発明は、定義データは、ＥＰＳ形式のデータが有する部品データの高精細な座標情報に対して相対座標値の和を算出し、算出された前記部品データの座標情報に基づいて、フラッシュ形式の部品データの座標情報を含むＸＭＬ形式のデータを作成する処理が記載されたデータである。このため、用いられたフッラシュ形式の部品データの高精度な座標情報を変換したＸＭＬ形式のデータに反映させることができる。
【００２３】
また、請求項１０の発明は、ネットワークを通じて端末からなされる要求に応じて処理・応答を行う印刷物作成プログラムであって、コンピュータに、印刷形式のデータ、変換定義データ、およびＸＭＬ形式のデータを読み込むためのリンク情報を含むフラッシュ形式の全体データを第１の記憶手段に記憶する第１の記憶手順と、前記第１の記憶手段に記憶された変換定義データに基づいて、前記印刷形式のデータからフラッシュ形式の部品データを作成し、第２の記憶手段に記憶する第２の記憶手順と、前記第１の記憶手段に記憶された変換定義データに基づいて、前記印刷形式のデータから前記第２の記憶手段に記憶された前記フラッシュ形式の部品データの記憶領域のリンク情報を含むＸＭＬ形式のデータを作成し、第３の記憶手段に記憶する第３の記憶手順と、前記第１の記憶手段に記憶された前記フラッシュ形式の全体データを読み出すことにより、当該フラッシュ形式の全体データに含まれるリンク情報に基づいて前記第３の記憶手段に記憶された前記ＸＭＬ形式のデータが呼び出され、呼び出された前記ＸＭＬ形式のデータに含まれるリンク情報に基づいて前記第２の記憶手段に記憶された前記フラッシュ形式の部品データが呼び出され、呼び出された前記フラッシュ形式の全体データ、前記ＸＭＬ形式のデータ、および前記フラッシュ形式の部品データを一体的に表示手段に表示する表示手順と、前記表示手段によって表示された表示データをｐｄｆ形式に変換し、第４の記憶手段に記憶する第４の記憶手順とをコンピュータに実行させるためのプログラムである。
【００２４】
したがって請求項１０の発明は、印刷形式のデータ、変換定義データ、およびＸＭＬ形式のデータを読み込むためのリンク情報を含むフラッシュ形式の全体データが記憶され、記憶された変換定義データに基づいて、印刷形式のデータからフラッシュ形式の部品データが作成され、記憶される。そして、記憶された変換定義データに基づいて、印刷形式のデータからフラッシュ形式の部品データの記憶領域のリンク情報を含むＸＭＬ形式のデータが作成され、記憶される。そして、フラッシュ形式の全体データを読み出すことにより、フラッシュ形式の全体データに含まれるリンク情報に基づいて記憶されたＸＭＬ形式のデータが呼び出され、呼び出されたＸＭＬ形式のデータに含まれるリンク情報に基づいてフラッシュ形式の部品データが呼び出され、呼び出されたフラッシュ形式の全体データ、ＸＭＬ形式のデータ、およびフラッシュ形式の部品データを一体的に表示される。そして、表示された表示データはｐｄｆ形式に変換、記憶される。このため、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００２５】
また、請求項１１の発明は、印刷形式のデータは、ＥＰＳ形式のデータであることを特徴とする。
【００２６】
したがって請求項１１の発明は、ＥＰＳ形式のデータが保持する高精度な座標データを用いることができる。
【００２７】
また、請求項１２の発明は、前記定義データは、前記ＥＰＳ形式のデータが有する部品データの高精細な座標情報に対して相対座標値の和を算出し、算出された前記部品データの座標情報に基づいて、前記フラッシュ形式の部品データの座標情報を含むＸＭＬ形式のデータを作成する処理が記載されたデータであることを特徴とする。
【００２８】
したがって請求項１２の発明は、定義データは、ＥＰＳ形式のデータが有する部品データの高精細な座標情報に対して相対座標値の和を算出し、算出された前記部品データの座標情報に基づいて、フラッシュ形式の部品データの座標情報を含むＸＭＬ形式のデータを作成する処理が記載されたデータである。このため、用いられたフッラシュ形式の部品データの高精度な座標情報を変換したＸＭＬ形式のデータに反映させることができる。
【発明の効果】
【００２９】
請求項１の発明によれば、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００３０】
請求項２の発明によれば、ＥＰＳ形式のデータが保持する高精度な座標データを用いることができる。
【００３１】
請求項３の発明によれば、用いられたフッラシュ形式の部品データの高精度な座標情報を変換したＸＭＬ形式のデータに反映させることができる。
【００３２】
請求項４の発明によれば、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００３３】
請求項５の発明によれば、ＥＰＳ形式のデータが保持する高精度な座標データを用いることができる。
【００３４】
請求項６の発明によれば、用いられたフッラシュ形式の部品データの高精度な座標情報を変換したＸＭＬ形式のデータに反映させることができる。
【００３５】
請求項７の発明によれば、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００３６】
請求項８の発明によれば、ＥＰＳ形式のデータが保持する高精度な座標データを用いることができる。
【００３７】
請求項９の発明によれば、用いられたフッラシュ形式の部品データの高精度な座標情報を変換したＸＭＬ形式のデータに反映させることができる。
【００３８】
請求項１０の発明によれば、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。
【００３９】
請求項１１の発明によれば、ＥＰＳ形式のデータが保持する高精度な座標データを用いることができる。
【００４０】
請求項１２の発明によれば、用いられたフッラシュ形式の部品データの高精度な座標情報を変換したＸＭＬ形式のデータに反映させることができる。
【発明を実施するための最良の形態】
【００４１】
図１は、本発明の実施形態に係る印刷物作成システムの一実施形態を示す構成ブロック図である。
【００４２】
印刷物作成システムは、図１に示すような構成となっている。サーバ装置（Ｗｅｂサーバ）１０は、例えばインターネット１４等のネットワークに接続可能となっている。また、クライアント端末１６は、インターネット１４を介してサーバ装置１０にアクセス可能となっている。
【００４３】
サーバ装置１０は、図２に示すように、制御手段２０と記憶手段２４とを備えている。制御手段２０は、変換部２２を備えており、この変換部２２は、ＣＭＹＫ（シアン、マゼンダ、イエロ、ブラック）で構成された印刷形式のＥＰＳ形式のデータ（高品質部品素材データ）をＸＭＬ形式のデータおよびフラッシュ形式のデータに変換する。記憶手段２４は、変換されたＸＭＬ形式のデータを読み込むためのフラッシュ形式の全体データ（ベースデータ）を記憶するフラッシュ形式の全体データ記憶領域２６、（ＣＭＹＫで構成された）印刷形式のＥＰＳ形式のデータをＸＭＬ形式およびフラッシュ形式の部品データに変換するための変換定義データを記憶する変換定義データ記憶領域２８、ＣＭＹＫで構成された印刷形式のＥＰＳ形式のデータを記憶するＣＭＹＫ形式データ記憶領域３０、ＸＭＬ形式のデータを記憶するＸＭＬ形式データ記憶領域３２、フラッシュ形式の部品データを記憶するフラッシュ形式のデータ記憶領域３４を備える。
【００４４】
以上のように構成された印刷物作成システムを適用した印刷物作成方法および印刷物作成プログラムについての動作を図３を参照して説明する。
【００４５】
サーバ装置１０の制御手段２０は、ステップＳ１で、印刷形式（ＣＭＹＫ）のデータをＣＭＹＫ形式データ記憶領域３０に記憶し、変換定義データを変換定義データ記憶領域２８に記憶し、ＸＭＬ形式のデータを読み込むためのリンク情報を含むフラッシュ形式の全体データをフラッシュ形式の全体データ記憶領域２６に記憶する。ここで、フラッシュ形式の全体データとは、例えば図３に示す全体のベースデータである。また、印刷形式（ＣＭＹＫ）のデータとは、例えば図５に示すようなＥＰＳ形式の印刷物全体の元データである。図５では、印刷形式（ＣＭＹＫ）のデータの座標のうち、左上の角（図１０のα）の座標情報のみを表記している。さらに、変換定義データとは、例えば、
「印刷形式（ＣＭＹＫ）のデータの中で、部品（素材）データの座標情報のうち、高精細座標情報の相対座標値の和を算出して変換後の部品データの座標情報とする」
というような変換定義データとなる。なお、高精細座標情報とは、ＥＰＳ形式の印刷形式データの中の「%%CropBox」に続く値を指すものとする。
【００４６】
制御手段２０の変換部２２は、ステップＳ３で、印刷形式（ＣＭＹＫ）のデータから、フラッシュ形式の部品データを作成し、フラッシュ形式の部品データ記憶領域３４に記憶する。ここで、フラッシュ形式の部品データとは、例えば図８に示す果実の写真５０および図９に示す価格の画像データ５２のようなパーツデータである。なお、これらの変換処理では、印刷形式（ＣＭＹＫ）のデータの座標のうち、左上の角（図１０のα）の座標情報を基準としている。例えば、図８に示す果実の写真５０は、図６に示すＥＰＳ形式のデータとして座標情報が決定される。図９に示す価格の画像データ５２は、図７に示すＥＰＳ形式のデータとして座標情報が決定される。なお、これらのＥＰＳ形式の印刷形式データの中の「%%CropBox」に続く値が座標情報を示したものである。例えば、図６の座標情報である「%%CropBox: 0 0 100.000 73.667」は、図１０のβの位置を示している。同様に、図７の座標情報である「%%CropBox: 0 0 52.667 18.667」は、図１０のγの位置を示している。すなわち、果実の写真５０は、図１０の領域５４に配置され、価格の画像データ５２は、図１０の領域５６に配置される。
【００４７】
制御手段２０は、ステップＳ５で、フラッシュ形式の部品データの記憶領域情報（リンク情報）を含むＸＭＬ形式のデータを印刷形式（ＣＭＹＫ）のデータから作成し、ＸＭＬ形式データ記憶領域３２に記憶する。変換されたＸＭＬ形式のデータは、例えば、図１１に示すようなソースコードとなる。図中のソースコード１００は、図５に示したフラッシュ形式の全体データを読み込み、ソースコード１０１は、図６に示したフラッシュ形式の部品データを読み込み、ソースコード１０２は、図７に示したフラッシュ形式の部品データを読み込むようになっている。なお、実際の処理においては、ステップＳ３とステップＳ５の処理は平行して行うものである。
【００４８】
制御手段２０は、ステップＳ７で、フラッシュ形式の全体データ記憶領域２６に記憶されているフラッシュ形式の全体データを読み出す。読み出されたフラッシュ形式の全体データは、上述したＸＭＬ形式のデータを読み込み、ＸＭＬ形式のデータは、上述したソースコードに記載されたフラッシュ形式の各データを読み込む。以上より、図１２に示すように、印刷物の実際の形式として、関連するすべてのデータが表示される。
【００４９】
制御手段２０の変換部２２は、ステップＳ９で、表示されたフラッシュ形式の全体データをｐｄｆ形式のデータに変換し、クライアント端末１６からインターネット１４を介してダウンロード可能となるように記憶手段２４に記憶する。
【００５０】
以上より、Ｗｅｂサーバ上に保存されているＣＭＹＫ形式のみのＥＰＳ形式の部品データから変換したフラッシュ形式の部品データを用いて作成することにより、配置ずれや色ずれの少ない高品質な印刷データを作成できる。また、ＥＰＳ形式のデータが保持する高精度な座標データをＸＭＬ形式のデータとして変換することにより、高精度なデータのまま用いることができる。
【００５１】
なお、コンピュータに実行させることができるプログラム（ソフトウエア手段）として、例えば磁気ディスク（フロッピー（登録商標）ディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機うちに構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００５２】
【図１】本発明の実施形態に係る印刷物作成システムの一実施形態を示す構成ブロック図。
【図２】本発明の実施形態に係るサーバ装置の構成を示す構成ブロック図。
【図３】本発明の実施形態に係る印刷物作成システムを適用した印刷物作成方法および印刷物作成プログラムについての動作を示したフローチャート。
【図４】本発明の実施形態に係る印刷物作成システムに係るフラッシュ形式の全体データの外観の一形態を示した模式図。
【図５】本発明の実施形態に係る印刷物作成システムに係るＥＰＳ形式の印刷物全体の元データの一形態を示した模式図。
【図６】本発明の実施形態に係る印刷物作成システムに係るフラッシュ形式の部品データの一形態を示した模式図。
【図７】本発明の実施形態に係る印刷物作成システムに係るフラッシュ形式の部品データのソースコードの一形態を示した模式図。
【図８】本発明の実施形態に係る印刷物作成システムに係るフラッシュ形式の部品データの一形態を示した模式図。
【図９】本発明の実施形態に係る印刷物作成システムに係るフラッシュ形式の部品データのソースコードの一形態を示した模式図。
【図１０】本発明の実施形態に係る印刷物作成システムに係るフラッシュ形式の全体データに読み込まれる部品データの位置を示した模式図。
【図１１】本発明の実施形態に係る印刷物作成システムに係るＸＭＬ形式のデータのソースコードの一形態を示した模式図。
【図１２】本発明の実施形態に係る印刷物作成システムに係る印刷物の実際の形式として、関連するすべてのデータがすべて表示された一形態を示す模式図。
【符号の説明】
【００５３】
１０…サーバ装置、１４…インターネット、１６…クライアント端末、２０…制御手段、２２…変換部、２４…記憶手段、２６…全体データ記憶領域、２８．ＣＭＹＫ…変換定義データ記憶領域、２８…変換定義データ記憶領域、３０…ＣＭＹＫ形式データ記憶領域、３２…ＸＭＬ形式データ記憶領域、３４…フラッシュ形式の部品データ記憶領域、５０…写真、５２…画像データ、５４…領域、５６…領域
【図１】
2006185186.tif 000003
【図２】
2006185186.tif 000004
【図３】
2006185186.tif 000005
【図４】
2006185186.tif 000006
【図５】
2006185186.tif 000007
【図６】
2006185186.tif 000008
【図７】
2006185186.tif 000009
【図８】
2006185186.tif 000010
【図９】
2006185186.tif 000011
【図１０】
2006185186.tif 000012
【図１１】
2006185186.tif 000013
【図１２】
2006185186.tif 000014